【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
ネットワーク機器とネットワークを介して通信可能な情報処理装置であって、
前記ネットワーク機器のハードウェア、及びソフトウェアの少なくとも一方の起動を、前記ネットワーク機器に要求する要求手段と、
前記ネットワーク機器、又は前記ネットワークに接続された記憶装置から、前記起動の予定の時間を示す予定時間を取得し、前記要求に応答して前記ネットワーク機器から送信された前記起動に要する起動時間を受信する受信手段と、
前記予定時間が経過するまでに前記起動時間が受信されなかった場合、前記起動が行われなかったと判断する判断手段と、
を有することを特徴とする情報処理装置。
【請求項２】
ネットワーク機器とネットワークを介して通信可能な情報処理装置であって、
前記ネットワーク機器のハードウェア、及びソフトウェアの少なくとも一方の起動を、前記ネットワーク機器に要求する要求手段と、
当該情報処理装置が有する記憶装置から、前記起動の予定の時間を示す予定時間を取得する取得手段と、
前記要求に応答して前記ネットワーク機器から送信された前記起動に要する起動時間を受信する受信手段と、
前記予定時間が経過するまでに前記起動時間が受信されなかった場合、前記起動が行われなかったと判断する判断手段と、
を有することを特徴とする情報処理装置。
【請求項３】
前記判断手段は、前記起動時間が経過するまでに前記起動が完了した旨の通知を前記ネットワーク機器から受信したときは前記起動が行われたと判断し、前記通知を受信しなかったときは前記起動が行われなかったと判断することを特徴とする請求項１又は２に記載の情報処理装置。
【請求項４】
情報処理装置とネットワークを介して通信可能なネットワーク機器であって、
前記ネットワーク機器の有するハードウェア、及びソフトウェアの少なくとも一方の起動の予定の時間を示す予定時間を前記情報処理装置に通知する通知手段と、
前記起動の要求を前記情報処理装置から受信する受信手段と、
前記起動の要求に応答して、前記起動に要する起動時間を前記情報処理装置に送信する送信手段と、
前記起動が要求されたハードウェア、及びソフトウェアの少なくとも一方の前記起動を行う起動手段と、
前記起動手段による前記起動が完了すると、前記起動が完了した旨を前記情報処理装置に通知する通知手段と、
を有することを特徴とするネットワーク機器。
【請求項５】
前記送信手段は、前記起動手段により規定の段階までの起動が行われたとき、残りの段階の起動に要する時間を起動時間として前記情報処理装置に更に送信することを特徴とする請求項４に記載のネットワーク機器。
【請求項６】
ネットワーク機器のハードウェア、及びソフトウェアの少なくとも一方の起動を指示する起動要求端末、及び前記ネットワーク機器とネットワークを介して通信可能な情報処理装置であって、
前記起動要求端末から送信された前記起動の指示を受信すると、前記ネットワーク機器に前記起動を要求する要求手段と、
前記要求に応答して前記ネットワーク機器から送信された前記起動に要する時間を示す起動時間を受信したとき、前記起動時間を前記起動要求端末に送信し、前記ネットワーク機器から前記起動が完了した旨の通知を受信したとき、前記通知を前記起動要求端末に送信する送信手段と、
を有することを特徴とする情報処理装置。
【請求項７】
前記ネットワーク機器から前記起動の予定の時間を示す予定時間を受信する受信手段と、
前記受信手段が前記予定時間を受信する度に、記憶手段に記憶されている前記予定時間に受信した前記予定時刻を上書きして格納する格納手段と、
前記起動要求端末からの前記記憶部の予定時間を取得する旨の要求に応答して前記予定時間を前記起動要求端末に提供する提供手段と、
前記予定時間が経過すると、前記予定時間を前記記憶部から削除する削除手段と、を更に有することを特徴とする請求項６に記載の情報処理装置。
【請求項８】
ネットワーク機器とネットワークを介して通信可能な情報処理装置における前記ネットワーク機器の起動制御方法であって、
前記ネットワーク機器のハードウェア、及びソフトウェアの少なくとも一方の起動を、前記ネットワーク機器に要求する要求工程と、
前記ネットワーク機器、又は前記ネットワークに接続された記憶装置から、前記起動の予定の時間を示す予定時間を取得し、前記要求に応答して前記ネットワーク機器から送信された前記起動に要する起動時間を受信する受信工程と、
前記予定時間が経過するまでに前記起動時間が受信されなかった場合、前記起動が行われなかったと判断する判断工程と、
を有することを特徴とする起動制御方法。
【請求項９】
ネットワーク機器とネットワークを介して通信可能な情報処理装置における前記ネットワーク機器の起動制御方法であって、
前記ネットワーク機器のハードウェア、及びソフトウェアの少なくとも一方の起動を、前記ネットワーク機器に要求する要求工程と、
当該情報処理装置が有する記憶装置から、前記起動の予定の時間を示す予定時間を取得する取得工程と、
前記要求に応答して前記ネットワーク機器から送信された前記起動に要する起動時間を受信する受信工程と、
前記予定時間が経過するまでに前記起動時間が受信されなかった場合、前記起動が行われなかったと判断する判断工程と、
を有することを特徴とする起動制御方法。
【請求項１０】
情報処理装置とネットワークを介して通信可能なネットワーク機器の起動制御方法であって、
前記ネットワーク機器の有するハードウェア、及びソフトウェアの少なくとも一方の起動の予定の時間を示す予定時間を前記情報処理装置に通知する通知工程と、
前記起動の要求を前記情報処理装置から受信する受信工程と、
前記起動の要求に応答して、前記起動に要する起動時間を前記情報処理装置に送信する送信工程と、
前記起動が要求されたハードウェア、及びソフトウェアの少なくとも一方の前記起動を行う起動工程と、
前記起動工程により前記起動が完了されると、前記起動が完了した旨を前記情報処理装置に通知する通知工程と、
を有することを特徴とする起動制御方法。
【請求項１１】
ネットワーク機器のハードウェア、及びソフトウェアの少なくとも一方の起動の指示が行われる起動要求端末、及び前記ネットワーク機器と前記ネットワークを介して通信可能な情報処理装置における起動制御方法であって、
前記起動要求端末から送信された前記起動の指示を受信すると、前記ネットワーク機器に前記起動を要求する要求工程と、
前記要求に応答して前記ネットワーク機器から送信された前記起動に要する時間を示す起動時間を受信したとき、前記起動時間を前記起動要求端末に送信し、前記ネットワーク機器から前記起動が完了した旨の通知を受信したとき、前記通知を前記起動要求端末に送信する送信工程と、
を有することを特徴とする起動制御方法。
【請求項１２】
ネットワーク機器とネットワークを介して通信可能なコンピュータを、
前記ネットワーク機器のハードウェア、及びソフトウェアの少なくとも一方の起動を、前記ネットワーク機器に要求する要求手段と、
前記ネットワーク機器、又は前記ネットワークに接続された記憶装置から、前記起動の予定の時間を示す予定時間を取得し、前記要求に応答して前記ネットワーク機器から送信された前記起動に要する起動時間を受信する受信手段と、
前記予定時間が経過するまでに前記起動時間が受信されなかった場合、前記起動が行われなかったと判断する判断手段と、
して機能させるプログラム。
【請求項１３】
ネットワーク機器とネットワークを介して通信可能なコンピュータを、
前記ネットワーク機器のハードウェア、及びソフトウェアの少なくとも一方の起動を、前記ネットワーク機器に要求する要求手段と、
当該コンピュータが有する記憶装置から、前記起動の予定の時間を示す予定時間を取得する取得手段と、
前記要求に応答して前記ネットワーク機器から送信された前記起動に要する起動時間を受信する受信手段と、
前記予定時間が経過するまでに前記起動時間が受信されなかった場合、前記起動が行われなかったと判断する判断手段と、
して機能させるプログラム。
【請求項１４】
情報処理装置とネットワークを介して通信可能なコンピュータを、
前記ネットワーク機器の有するハードウェア、及びソフトウェアの少なくとも一方の起動の予定の時間を示す予定時間を前記情報処理装置に通知する通知手段と、
前記起動の要求を前記情報処理装置から受信する受信手段と、
前記起動の要求に応答して、前記起動に要する起動時間を前記情報処理装置に送信する送信手段と、
前記起動が要求されたハードウェア、及びソフトウェアの少なくとも一方の前記起動を行う起動手段と、
前記起動手段により前記起動が完了されると、前記起動が完了した旨を前記情報処理装置に通知する通知手段と、
して機能させるプログラム。
【請求項１５】
ネットワーク機器のハードウェア、及びソフトウェアの少なくとも一方の起動の指示が行われる起動要求端末、及び前記ネットワーク機器とネットワークを介して通信可能なコンピュータを、
前記起動要求端末から送信された前記起動の指示を受信すると、前記ネットワーク機器に前記起動を要求する要求手段と、
前記要求に応答して前記ネットワーク機器から送信された前記起動に要する時間を示す起動時間を受信したとき、前記起動時間を前記起動要求端末に送信し、前記ネットワーク機器から前記起動が完了した旨の通知を受信したとき、前記通知を前記起動要求端末に送信する送信手段と、
して機能させるプログラム。
【手続補正２】
【補正対象書類名】明細書
【補正対象項目名】０００８
【補正方法】変更
【補正の内容】
【０００８】
そこで、本発明にかかる情報処理装置は、ネットワーク機器とネットワークを介して通信可能な情報処理装置であって、前記ネットワーク機器のハードウェア、及びソフトウェアの少なくとも一方の起動を、前記ネットワーク機器に要求する要求手段と、前記ネットワーク機器、又は前記ネットワークに接続された記憶装置から、前記起動の予定の時間を示す予定時間を取得し、前記要求に応答して前記ネットワーク機器から送信された前記起動に要する起動時間を受信する受信手段と、前記予定時間が経過するまでに前記起動時間が受信されなかった場合、前記起動が行われなかったと判断する判断手段と、を有することを特徴とする。